【手続補正書】
【提出日】平成18年8月10日(2006.8.10)
【手続補正１】
【補正対象書類名】明細書
【補正対象項目名】特許請求の範囲
【補正方法】変更
【補正の内容】
【特許請求の範囲】
【請求項１】  第１移動体無線システム（２Ｇ）の第１移動体サービス交換局（２ＧＭＳＣ）と第２移動体無線システム（３Ｇ）の第２移動体サービス交換局（３ＧＭＳＣ）との間のデータ伝送のための方法（１００）であって、
第１および第２移動体サービス交換局（２ＧＭＳＣ、３ＧＭＳＣ）が、有用なデータが可変の有用データ伝送速度で伝送されるインターフェース（Ａ＊）を介して接続され（１１０）、
有用なデータが、データフレームワーク（Ｆ１、Ｆ２）で伝送され（１２０）、
該データフレームワーク（Ｆ１、Ｆ２）が、事前に決定された一定の数のデータフィールド（１Ｄ１．．．１Ｄ３６；２Ｄ１．．．２Ｄ３６；．．．；８Ｄ１．．．８Ｄ３６）を含み、これにより、最初に、伝送される有用なデータの量に応じて、事前に決定された一定の数のデータフィールドの少なくとも一部（１Ｄ１．．．４Ｄ１９）が有用なデータで最初に符号化され（１２２）、その後、事前に決定された一定の数のデータフィールドの残りの部分（４Ｄ２０．．．８Ｄ３６）がダミービットで符号化され（１２３）、
少なくとも２つの連続したデータフレームワーク（Ｆ１、Ｆ２）が組み合わされ（１２１）、
信号ビット（Ｍ１）がデータフレームワーク（Ｆ１、Ｆ２）のそれぞれに入力され、信号ビットが２つのデータフレームワークの第１（Ｆ１）であるか、第２（Ｆ２）であるかを示す、データ伝送のための方法（１００）。
【請求項２】  表示ビット（Ｎ１、Ｎ２、．．．）が各データフレームワーク（Ｆ１）に入力され（１２４）、伝送される有用なデータで符号化されるデータフィールドの前記一部（１Ｄ１．．．４Ｄ１９）、および／または、ダミービットで符号化されるデータフィールドの残りの部分（４Ｄ２０．．．８Ｄ３６）を示す請求項１に記載の方法（１００）。
【請求項３】  第１データフィールド（１Ｄ１）から開始され、データフィールドが、伝送される有用なデータで連続して充填され（１２２）、
必要に応じて、残りのデータフィールド（４Ｄ２０．．．８Ｄ３６）がダミービットで充填され（１２３）、
各データフレームワーク（Ｆ１）が、表示ビット（Ｎ１、Ｎ２、．．．）が入力される先頭フィールドを含み（１２４）、表示ビットが、データフレームワーク（Ｆ１）が有用なデータで充填されるデータフレームワーク（Ｆ１）内の点の位置を示すアドレスを示す請求項２に記載の方法（１００）。
【請求項４】  第１データフレームワーク（Ｆ１）の第１データフィールド（１Ｄ１）から開始され、組み合わされたデータフレームワーク（Ｆ１、Ｆ２）のデータフィールドが、伝送される有用なデータで次々に充填され（１２２）、必要に応じて、残りのデータフィールドがダミービット（１２３）で充填され、
第１データフレームワーク（Ｆ１）の表示ビット（Ｎ１、Ｎ２、．．．）が、第２データフレームワーク（Ｆ２）の表示ビット（Ｎ６、Ｎ７、．．．）とともに、組み合わされたデータフレームワーク（Ｆ１、Ｆ２）が有用なデータで充填される点の位置を示すアドレスを示す請求項３に記載の方法（１００）。
【請求項５】  第１移動体無線システム（２Ｇ）を介して動作される無線加入者ユニット（Ｍ）が、第２移動体無線システム（３Ｇ）にハンドオーバされ、インターフェース（Ａ＊）を介して無線加入者ユニット（Ｍ）によって送られ、受け取られる有用なデータが、透過的に、データフレームワーク（Ｆ１、Ｆ２）内で伝送され（１２０）、これにより、表示ビット（Ｎ１、Ｎ２、．．．）が、伝送される有用なデータで符号化されるデータフィールド（１Ｄ１．．．４Ｄ１９）、および／または、ダミービットで符号化されるデータフィールド（４Ｄ２０．．．８Ｄ３６）を示す請求項１に記載の方法（１００）。
【請求項６】  第２移動体無線システム（３Ｇ）を介して動作される無線加入者ユニット（Ｍ）が、第１移動体無線システム（２Ｇ）にハンドオーバされ、インターフェース（Ａ＊）を介して無線加入者ユニット（Ｍ）によって送られ、受け取られる有用なデータが、非透過的に、様々なデータリンクプロトコル（ＲＬＰ）から選択できるデータリンクプロトコルを使用して伝送され、これにより、制御ビット（Ｃ１、Ｃ２、．．．）が、データフレームワーク（Ｆ）に入力され、選択されたデータリンクプロトコル（Ｖ１１０）を示し、
データフレームワーク（Ｆ）のデータフィールド（１Ｄ１．．．８Ｄ３６）が、選択されたデータリンクプロトコル（ＲＬＰ）を使用して、有用なデータで符号化される請求項１に記載の方法。
【請求項７】  インターフェーススイッチ（２ＧＩＦ）を備えた第１移動体無線システム（２Ｇ）のための移動体サービス交換局（２ＧＭＳＣ）であって、
第２移動体無線システム（３Ｇ）の第２移動体サービス交換局（３ＧＭＳＣ）と有用なデータを交換し、インターフェーススイッチ（２ＧＩＦ）が、データフレームワーク（Ｆ１、Ｆ２）内で可変の有用データ伝送速度で有用なデータを送り、また受け取り、これにより、各データフレームワーク（Ｆ１）が、事前に決定された一定の数のデータフィールド（１Ｄ１．．．１Ｄ３６；２Ｄ１．．．２Ｄ３６；．．．；８Ｄ１．．．８Ｄ３６）を含み、伝送される有用なデータの量に応じて、事前に決定された一定の数のデータフィールドの少なくとも一部（１Ｄ１．．．４Ｄ１９）が有用なデータで符号化され、事前に決定された一定の数のデータフィールドの残りの部分（４Ｄ２０．．．Ｄ３６）がダミービットで符号化され、これにより、少なくとも２つの連続したデータフレームワーク（Ｆ１、Ｆ２）が組み合わされ（１２１）、
信号ビット（Ｍ１）がデータフレームワーク（Ｆ１、Ｆ２）のそれぞれに入力され、信号ビットが２つのデータフレームワークの第１（Ｆ１）であるか、第２（Ｆ２）であるかを示す、移動体サービス交換局（２ＧＭＳＣ）。
【請求項８】  インターフェーススイッチ（３ＧＩＦ）を備えた第２移動体無線システム（３Ｇ）のための移動体サービス交換局（３ＧＭＳＣ）であって、
インターフェーススイッチ（３ＧＩＦ）が、第１移動体無線システム（２Ｇ）の第１移動体サービス交換局（２ＧＭＳＣ）と有用なデータを交換し、インターフェーススイッチ（３ＧＩＦ）が、データフレームワーク（Ｆ１、Ｆ２）内で可変の有用データ伝送速度で有用なデータを送り、また受け取り、これにより、各データフレームワーク（Ｆ１）が、事前に決定された一定の数のデータフィールド（１Ｄ１．．．１Ｄ３６；２Ｄ１．．．２Ｄ３６；．．．；８Ｄ１．．．８Ｄ３６）を含み、伝送される有用なデータの量に応じて、事前に決定された一定の数のデータフィールドの少なくとも一部（１Ｄ１．．．４Ｄ１９）が有用なデータで符号化され、事前に決定された一定の数のデータフィールドの残りの部分（４Ｄ２０．．．８Ｄ３６）がダミービットで符号化され、これにより、少なくとも２つの連続したデータフレームワーク（Ｆ１、Ｆ２）が組み合わされ（１２１）、
信号ビット（Ｍ１）がデータフレームワーク（Ｆ１、Ｆ２）のそれぞれに入力され、信号ビットが２つのデータフレームワークの第１（Ｆ１）であるか、第２（Ｆ２）であるかを示す、移動体サービス交換局（３ＧＭＳＣ）。
【請求項９】  第１移動体無線システム（２Ｇ）の移動体サービス交換局（２ＧＭＳＣ）のためのインターフェーススイッチ（２ＧＩＦ）であって、
第２移動体無線システム（３Ｇ）の第２移動体サービス交換局（３ＧＭＳＣ）と有用なデータを交換し、インターフェーススイッチ（２ＧＩＦ）が、データフレームワーク（Ｆ１、Ｆ２）内で可変の有用データ伝送速度で有用なデータを送り、また受け取り、これにより、各データフレームワーク（Ｆ１）が、事前に決定された一定の数のデータフィールド（１Ｄ１．．．１Ｄ３６；２Ｄ１．．．２Ｄ３６；．．．；８Ｄ１．．．８Ｄ３６）を含み、伝送される有用なデータの量に応じて、事前に決定された一定の数のデータフィールドの少なくとも一部（１Ｄ１．．．４Ｄ１９）が有用なデータで符号化され、事前に決定された一定の数のデータフィールドの残りの部分（４Ｄ２０．．．８Ｄ３６）がダミービットで符号化され、これにより、少なくとも２つの連続したデータフレームワーク（Ｆ１、Ｆ２）が組み合わされ（１２１）、
信号ビット（Ｍ１）がデータフレームワーク（Ｆ１、Ｆ２）のそれぞれに入力され、信号ビットが２つのデータフレームワークの第１（Ｆ１）であるか、第２（Ｆ２）であるかを示す、インターフェーススイッチ（２ＧＩＦ）。
【請求項１０】  第２移動体無線システム（３Ｇ）の移動体サービス交換局（３ＧＭＳＣ）のためのインターフェーススイッチ（３ＧＩＦ）であって、
第１移動体無線システム（２Ｇ）の第１移動体サービス交換局（２ＧＭＳＣ）と有用なデータを交換し、インターフェーススイッチ（３ＧＩＦ）が、データフレームワーク（Ｆ１、Ｆ２）内で可変の有用データ伝送速度で有用なデータを送り、また受け取り、これにより、各データフレームワーク（Ｆ１）が、事前に決定された一定の数のデータフィールド（１Ｄ１．．．１Ｄ３６；２Ｄ１．．．２Ｄ３６；．．．；８Ｄ１．．．８Ｄ３６）を含み、伝送される有用なデータの量に応じて、事前に決定された一定の数のデータフィールドの少なくとも一部（１Ｄ１．．．４Ｄ１９）が有用なデータで符号化され、事前に決定された一定の数のデータフィールドの残りの部分（４Ｄ２０．．．８Ｄ３６）がダミービットで符号化され、これにより、少なくとも２つの連続したデータフレームワーク（Ｆ１、Ｆ２）が組み合わされ（１２１）、
信号ビット（Ｍ１）がデータフレームワーク（Ｆ１、Ｆ２）のそれぞれに入力され、信号ビットが２つのデータフレームワークの第１（Ｆ１）であるか、第２（Ｆ２）であるかを示す、インターフェーススイッチ（３ＧＩＦ）。